(57)【特許請求の範囲】
【請求項１】
傾斜した天井面内に、該天井面に沿って取付けられた昇降装置本体に設けられたワイヤの巻取ドラムと、該ワイヤの送出しあるいは巻取りによって、昇降して前記天井面に設けた開口を通過する昇降体とからなり、該昇降体に照明器具が取付けられ、前記昇降体が前記開口を覆って前記天井面に取付けられた照明器具の昇降装置において、傾斜天井に一端が固定された吊りボルトと、前記昇降装置本体の前記天井面の傾斜方向の両側面に固定され、前記昇降装置本体の取付け角度の調整範囲に対応する曲率を有する曲率座面が形成された取付座と、前記吊りボルトを前記取付座に固定する固定手段とを有することを特徴とする照明器具の昇降装置。
【発明の詳細な説明】
【０００１】
【発明の属する技術分野】
本発明は、傾斜した天井面に取付けられた照明器具を、保守点検あるいは修理時に、天井面から昇降する照明器具の昇降装置に関するものである。
【０００２】
【従来の技術】
住宅の吹抜け部、デパートあるいは駅の構内などの傾斜した高天井や、エスカレータの傾斜した天井などに、照明器具が取付けられることがある。
このような場合には、傾斜した天井に安定して照明器具を取付けることが必要であるとともに、保守点検時や修理時に照明器具を取扱い易い位置に取出せることが必要になる。
【０００３】
このために使用される従来の照明器具の昇降装置は、図３に示すように傾斜した天井２に吊りボルト３の一端が固定され、昇降装置本体１の上面に取付座５が固定されていて、昇降装置本体１は、取付座５に吊りボルト３の他端を締付け固定することにより該本体１に設けた水準器１ａを確認しながら水平になるよう吊下げ取付けられている。
【０００４】
上記した昇降装置本体１には、ワイヤが巻装されたローラ６ａ、６ｂを備えた昇降体１５が設けられ、昇降体１５に取付けられた支軸７にカバー１０が支持され、カバー１０には照明器具１１が固定され、ワイヤの巻戻しによって昇降体１５は下降し、ワイヤの巻込みによって昇降体１５は上昇するように構成され、通常は、傾斜した天井面８に形成された開口８ａをカバー１０で覆って、該カバーに照明器具１１を取付ける結果、照明器具が傾斜して取付けられている。
そして、照明器具１１の保守点検時あるいは修理時には、ローラ６ａ、６ｂからワイヤが巻戻され、昇降体１５が開口を通過して下降し、下降したカバー１０に取付けられている照明器具１１に対して保守点検あるいは修理が施される。
【０００５】
【発明が解決しようとする課題】
前述の従来の照明器具の昇降装置では、昇降装置本体１が傾斜した天井に対して、水平方向に配設されているので、昇降体１５の取付治具には、天井の傾斜角度に適合した形状と構造が必要であり、天井の傾斜に合わせて取付治具を精度よく製造したり取付作業を精度よく実施しなければならず、製造にコストがかかり取付作業に手間がかかる問題があるとともに、経年変化でカバー１０の傾斜角度が変化して、開口８ａとカバー１０間に隙間ができた場合、照明器具１１の取付けの視覚的な美観が損なわれることがある。
【０００６】
本発明は、前述したような従来の照明器具の傾斜天井への取付けの現状に鑑みてなされたものであり、その目的は、取付作業時に傾斜天井への取付角度を微調整し、経年変化や点検修理で生じた場合などにも角度変化を容易に修正することができて、常に傾斜天井に視覚的な美観を維持して取付けることができ、簡単な構造で製造コストの低減も可能な照明器具の昇降装置を提供することにある。
【０００７】
【課題を解決するための手段】
前記目的を達成するために本発明に係る照明器具の昇降装置は、傾斜した天井面内に、該天井面に沿って取付けられた昇降装置本体に設けられたワイヤの巻取ドラムと、該ワイヤの送出しあるいは巻取りによって、昇降して前記天井面に設けた開口を通過する昇降体とからなり、該昇降体に照明器具が取付けられ、前記昇降体が前記開口を覆って前記天井面に取付けられた照明器具の昇降装置において、傾斜天井に一端が固定された吊りボルトと、前記昇降装置本体の前記天井面の傾斜方向の両側面に固定され、前記昇降装置本体の取付け角度の調整範囲に対応する曲率を有する曲率座面が形成された取付座と、前記吊りボルトを前記取付座に固定する固定手段とを有することを特徴とするものである。
【０００８】
本発明では、昇降装置本体の天井面の傾斜方向の両側面に固定された取付座には、昇降装置本体の取付角度の調整範囲に対応する曲率を有する曲率座面が形成されていて、固定手段による固定時に、傾斜天井に一端が固定された吊りボルトの取付座への固定位置を、曲率を有する取付座面上で調整する角度の微調整により、傾斜した天井面に昇降装置本体の取付角度を一致させ、開口を照明器具で完全に塞いで視覚的な美観を維持した取付けが行われる。
【０００９】
【発明の実施の形態】
本発明を、図１および図２を参照して説明する。
図１は本発明の一実施例の構成を示す説明図、図２は図１の取付座の構成を示す説明図である。
【００１０】
本発明では、図１に示すように、昇降装置本体１の傾斜した天井２の傾斜に沿った方向の両側面に、それぞれ取付座１３が固定されており、この取付座１３に、天井２にその一端が固定された吊りボルト３の他端（下端自由端）がねじ止め固定され、昇降装置本体１は、傾斜した天井面８に沿って、天井内に取付けられている。
【００１１】
昇降装置本体１には、ワイヤが巻装されたローラ６ａ、６ｂを備えた昇降体１５が設けられ、昇降体１５にはカバー１０が支持され、カバー１０には照明器具１１が固定され、ワイヤの巻戻しによって昇降体１５は下降し、ワイヤの巻込みによって昇降体１５は上昇するように構成され、通常は傾斜した天井面８に形成された開口８ａが、カバー１０で覆われて天井面８の表面と平行に配設されるとともに、前記カバーの下面に照明器具１１が取付けられている。
【００１２】
そして、照明器具１１の保守点検時あるいは修理時には、ローラ６ａ、６ｂからワイヤが巻戻され、昇降体１５が開口８ａを通過して下降し、この下降の過程でカバー１０はほぼ水平方向に姿勢を変えて保守位置まで下降停止し、カバー１０に取付けられている照明器具１１に対して、保守点検あるいは修理が施される。
【００１３】
本発明では、昇降装置本体１の傾斜した天井２に沿った方向の両側面に固定された取付座１３には、図２に示すように、昇降装置本体１の傾斜角度の微調整範囲に対応する所定の曲率Ｒを有する曲率座面１２が形成され、この曲率座面１２に吊りボルト３の他端がねじ止め固定される連続した長孔が形成されている。
【００１４】
したがって、本発明では、吊りボルト３の取付座１３に対する固定位置を、図１に示す位置から矢印Ｘ１方向に僅かに移動させると、昇降装置本体１の取付角度は、現在の位置から矢印θ１方向に僅かに回動して傾けられる。また、吊りボルト３の取付座１３に対する固定位置を、矢印Ｘ２方向に僅かに移動させると、昇降装置本体１の取付角度は、矢印θ２方向に僅かに回動して傾けられる。
【００１５】
なお、取付座１３の位置はできる限りカバー１０に向って下方となる位置とすることが、取付座１３が小型でも大幅な回動をして大きな傾斜角度を得られるために好ましい。
【００１６】
このために、本発明では、取付作業の際や経年変化や点検修理作業により昇降体１５の傾斜角度に変化が生じてカバー１０と開口８ａ間に間隙が生じた場合には、吊りボルト３の取付座１３との固定位置を微調整することにより、昇降装置本体１の傾斜角度を僅かに変化させて、カバー１０と開口８ａ間に生じた間隙を修正して、傾斜した天井面８に昇降装置本体１の取付角度を完全に一致させ、開口８ａを照明器具１１が固定されたカバー１０で完全に覆って取付時の視覚的な美観を維持することが可能になる。
【００１７】
【発明の効果】
以上述べた通り本発明によると、昇降装置本体に設けられ、照明器具を固設した昇降体が、通常は傾斜した天井面の開口を覆って取付けられ、保守点検あるいは修理時には昇降装置本体に設けたワイヤの巻取ドラムにより、ワイヤを送出しあるいは巻取ると、天井面に設けた開口を通過して下降あるいは上昇するが、昇降装置本体の天井面の傾斜方向の両側面に固定された取付座には、昇降装置本体の取付角度の調整範囲に対応する曲率を有する曲率座面が形成されているので、固定手段による固定時に、傾斜天井に一端が固定された吊りボルトの取付座への固定位置を、曲率を有する取付座面上で調整する簡単な角度の微調整により、傾斜した天井面に昇降装置本体の取付角度を完全に一致させ、開口を照明器具が固定されたカバーで完全に塞いで取付時の視覚的な美観を維持することが可能になる。
【図面の簡単な説明】
【図１】本発明の一実施例の構成を示す説明図である。
【図２】図１の取付座の構成を示す説明図である。
【図３】従来の照明器具の昇降装置の構成を示す説明図である。
【符号の説明】
１  昇降装置本体
２  天井
３  吊りボルト
６ａ  ローラ
６ｂ  ローラ
８  天井面
８ａ  開口
１０  カバー
１１  照明器具
１２  曲率座面
１３  取付座
【図１】
0004004104.tif 000002
【図２】
0004004104.tif 000003
【図３】
0004004104.tif 000004